(57)【要約】【課題】簡易な装置構成で被写体を適切な角度で撮像することが可能な撮像装置および撮像方法を提供することを目的とする。【解決手段】本発明にかかる撮像装置は、筐体１０６と、被写体を撮像する撮像部１２０と、画像を表示可能な画像表示部１３０と、筐体１０６の姿勢を検知する姿勢検知部１４０と、撮像部から取り込んだ原画像を姿勢検知部が検知した姿勢に基づいて補正する画像補正部１５０と、原画像を補正した補正画像をプレビュー画像としてシャッターを切る前に表示する第１補正モードと、原画像に対し補正が行われることをプレビュー画像の表示時に報知する第２補正モードと、のいずれか一方を前記姿勢検知部が検知した姿勢に応じて行う制御部１１０と、を備えることを特徴とする。【選択図】図２
2010252240.tif 000002
【特許請求の範囲】
【請求項１】
筐体と、
被写体を撮像する撮像部と、
画像を表示可能な画像表示部と、
前記筐体の姿勢を検知する姿勢検知部と、
前記撮像部から取り込んだ原画像を前記姿勢検知部が検知した姿勢に基づいて補正する画像補正部と、
前記原画像を補正した補正画像をプレビュー画像として前記画像表示部に表示する第１補正モードと、前記原画像に対し補正が行われることをプレビュー画像の表示時に報知する第２補正モードと、のいずれか一方を前記姿勢検知部が検知した姿勢に応じて行う制御部と、を備えることを特徴とする撮像装置。
【請求項２】
前記姿勢検知部は、前記筐体の所定の方向に対する傾き角を検知し、
前記制御部は、検知された前記傾き角に応じて前記第１補正モードと前記第２補正モードの切換を行うことを特徴とする請求項１に記載の撮像装置。
【請求項３】
前記制御部は、検知された前記傾き角が所定の値より大きいと判断した場合に前記第１補正モードを行い、検知された前記傾き角が所定の値以下であると判断した場合に前記第２補正モードを行うことを特徴とする請求項２に記載の撮像装置。
【請求項４】
前記画像補正部は、前記被写体の水平方向と当該撮像装置の左右方向が一致するように前記原画像の回転を行うことを特徴とする請求項１から請求項３のいずれか１項に記載の撮像装置。
【請求項５】
前記撮像部は、前記原画像より大きなセンサー画像を出力可能であって、
前記制御部は、前記原画像の範囲を回転させた補正範囲が前記センサー画像内に収まらないと判断した場合に前記第１補正モードを行い、前記補正範囲が該センサー画像内に収まると判断した場合に前記第２補正モードを行うことを特徴とする請求項４に記載の撮像装置。
【請求項６】
前記筐体はヒンジを有する折り畳み可能な構造であって、
当該撮像装置による撮像は前記筐体を開いた状態で行うことを特徴とする請求項１から請求項５のいずれか１項に記載の撮像装置。
【請求項７】
撮像装置にて被写体を撮像し
前記撮像装置の姿勢を検知し、
撮像した原画像を前記姿勢に基づいて補正した補正画像をプレビュー画像として表示するか、前記原画像に対し前記姿勢に基づいて補正が行われることをプレビュー画像の表示時に報知するか、のいずれか一方を、検知した前記姿勢に応じて行うことを特徴とする撮像方法。
【発明の詳細な説明】
【技術分野】
【０００１】
本発明は、被写体を撮像する撮像装置および撮像方法に関するものである。
【背景技術】
【０００２】
近年のデジタルカメラや、カメラを有する携帯電話、ＰＨＳ（Personal Handy-phone System）、ＰＤＡ（Personal Digital Assistant）等の撮像装置において、利用者はファインダに代えて表示部（液晶ディスプレイ等）に表示された被写体の画像（プレビュー画像）を見ながら撮像を行うことが可能となっている。
【０００３】
一般的に、被写体を撮像する際に被写体の水平方向を画像の左右方向と一致させることが、撮像する画像をより見易い画像とするために好適であるとされている。これを踏まえた上で上記の携帯電話等を用いた撮像を行う場合、携帯電話等自体の姿勢を水平に保つ必要がある。
【０００４】
例えば特許文献１には、撮影レンズユニット等が設けられた鏡筒ユニット回動機構を駆動することで、設定した傾斜角度を有する映像を撮影することが可能な電子カメラが開示されている。
【先行技術文献】
【特許文献】
【０００５】
【特許文献１】特開平１０−２６８３８９号公報
【発明の概要】
【発明が解決しようとする課題】
【０００６】
しかし、特許文献１の鏡筒ユニット回動機構はモータやギアを必要とするため小型化には制限がある。そのため、この鏡筒ユニット回動機構を携帯電話等に用いることは困難であると思われる。一方、利用者が表示部に表示される被写体の画像を見ながら手動で携帯電話等の水平を維持するのも容易ではない。
【０００７】
本発明は、このような課題に鑑み、簡易な装置構成で被写体を適切な角度で撮像することが可能な撮像装置および撮像方法を提供することを目的としている。
【課題を解決するための手段】
【０００８】
上記課題を解決するために、本発明にかかる撮像装置の代表的な構成は、筐体と、被写体を撮像する撮像部と、画像を表示可能な画像表示部と、筐体の姿勢を検知する姿勢検知部と、撮像部から取り込んだ原画像を姿勢検知部が検知した姿勢に基づいて補正する画像補正部と、原画像を補正した補正画像をプレビュー画像として画像表示部に表示する第１補正モードと、原画像に対し補正が行われることをプレビュー画像の表示時に報知する第２補正モードと、のいずれか一方を姿勢検知部が検知した姿勢に応じて行う制御部と、を備えることを特徴とする。
【０００９】
姿勢検知部は、筐体の所定の方向に対する傾き角を検知し、制御部は、検知された傾き角に応じて第１補正モードと第２補正モードの切換を行ってもよい。
【００１０】
制御部は、検知された傾き角が所定の値より大きいと判断した場合に第１補正モードを行い、検知された傾き角が所定の値以下であると判断した場合に第２補正モードを行ってもよい。
【００１１】
画像補正部は、被写体の水平方向と当該撮像装置の左右方向が一致するように原画像の回転を行ってもよい。
【００１２】
撮像部は、原画像より大きなセンサー画像を出力可能であって、制御部は、原画像の範囲を回転させた補正範囲がセンサー画像内に収まらないと判断した場合に第１補正モードを行い、補正画像がセンサー画像内に収まると判断した場合に第２補正モードを行ってもよい。
【００１３】
筐体はヒンジを有する折り畳み可能な構造であって、撮像装置による撮像は筐体を開いた状態で行ってもよい。
【００１４】
上記課題を解決するために、本発明にかかる撮像方法の代表的な構成は、撮像装置にて被写体を撮像し、撮像装置の姿勢を検知し、撮像した原画像を姿勢に基づいて補正した補正画像をプレビュー画像としてシャッターが切られる前に表示するか、原画像に対し姿勢に基づいて補正が行われることをプレビュー画像の表示時に報知するか、のいずれか一方を、検知した姿勢に応じて行うことを特徴とする。
【発明の効果】
【００１５】
本発明によれば、簡易な装置構成で被写体を適切な角度で撮像することが可能な撮像装置および撮像方法を提供することができる。
【図面の簡単な説明】
【００１６】
【図１】第１実施形態における携帯電話の外観図である。
【図２】携帯電話の概略的な機能ブロック図である。
【図３】第１実施形態にかかる撮像操作を説明するフローチャートである。
【図４】第１補正モードを説明するための図である。
【図５】第２補正モードを説明するための図である。
【図６】第２実施形態にかかる撮像操作を説明するフローチャートである。
【図７】補正範囲を説明するための図である。
【発明を実施するための形態】
【００１７】
[第１実施形態]
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
本発明にかかる撮像装置は、主として手に把持して撮像（撮影）を行う携帯式の撮像装置であり、例えば電子カメラ（デジタルカメラ）を始めとして、撮像機能を備えた携帯電話、ＰＨＳ、ノート型パーソナルコンピュータ、ＰＤＡ、音楽プレイヤー、カーナビゲーション、ＰＮＤ（Personal Navigation Device）、ゲーム機器、リモートコントローラ等の様々な装置を挙げることができる。本実施形態では、撮像装置として撮像機能を備えた折り畳み式携帯電話を例に挙げて説明する。
【００１９】
図１は第１実施形態における携帯電話の外観図であって、図１（ａ）は折り畳み式携帯電話（以下、単に携帯電話１００と記す）を開いた状態での正面図、図１(ｂ)は携帯電話１００を開いた状態での背面図である。図２は携帯電話１００の概略的な機能ブロック図である。
【００２０】
図１に示すように、携帯電話１００は、筐体１０６、撮像部１２０、画像表示部１３０、操作部１７０、音声入力部１７２、音声出力部１７４、を備えている。また筐体１０６は、第１筐体１０２、第２筐体１０４を備えている。
【００２１】
また図２に示すように、携帯電話１００は内部にさらに、制御部１１０、端末メモリ１１４、姿勢検知部１４０、画像補正部１５０、報知部１６０、無線通信部１７６、を備えている。
【００２２】
筐体１０６は携帯電話１００の外装を構成している。また、第１筐体１０２および第２筐体１０４はヒンジで連結されており、これによって折り畳み可能な構造となっている。通常、撮像部１２０による撮像は第１筐体１０２および第２筐体１０４を開いた状態で行う。具体的には、第１筐体１０２の背面に備えられた撮像部１２０を被写体に向け、第２筐体１０４に備えられた画像表示部１３０をファインダの代わりとして利用して撮像を行う。
【００２３】
制御部１１０は、中央処理装置（ＣＰＵ）を含む半導体集積回路により携帯電話１００全体を管理および制御する。例えば、通話機能、文字入力機能、音楽再生機能、ＴＶ視聴機能などを担うアプリケーションや、通信網を介してアプリケーション中継サーバ（図示せず）から提供されるＷｅｂブラウザやスケジュール管理などのアプリケーションを実行することが可能である。
【００２４】
端末メモリ１１４は、ＲＯＭ、ＲＡＭ、ＥＥＰＲＯＭ、不揮発性ＲＡＭ、フラッシュメモリ、ＨＤＤ等で構成され、制御部１１０で処理されるプログラムや音声データ等を記憶する。例えば、撮像部１２０により撮像された画像を保存しておくことが可能である。
【００２５】
撮像部１２０はハードウェアとしてのカメラユニットであって、レンズや受光素子（ＣＣＤやＣＭＯＳなど）を備え、使用者が操作部１７０を操作して被写体を撮像することができる。また撮像部１２０は制御部１１０の制御の下で撮像を行うこともできる。例えば制御部１１０は、撮像部１２０のシャッター速度やオートフォーカス、自動露出や自動ホワイトバランスなどの動作制御を行うことができる。
【００２６】
画像表示部１３０は第２筐体１０４に設けられており、液晶ディスプレイ、ＥＬ(Electro Luminescence)ディスプレイ等で構成され、画像や設定状態を表示することができる。この構成により画像表示部１３０は、音声通話の発着信相手の電話番号や、各種アプリケーションの動作画面、動画の閲覧、Ｗｅｂコンテンツ等を表示することが可能となっている。また、画像表示部１３０は撮像部１２０のファインダとして、シャッターを切る前のプレビュー表示や、シャッターを切った後のポストビュー表示を行うことが可能である。
【００２７】
姿勢検知部１４０は、筐体１０６の姿勢を検知することができる。例えば、姿勢検知部１４０として３軸加速度センサーを用いて筐体１０６の姿勢を検知することで、水平方向や垂直方向に対する携帯電話１００の傾き角を検知することが可能となる。なお、本実施形態にかかる携帯電話１００は撮像部１２０が第１筐体１０２に設けられていることから、第１筐体１０２の傾き角を検知することが後述する画像の補正のためには有効である。
【００２８】
画像補正部１５０は、撮像部１２０によって撮像された画像を補正する。また補正は、姿勢検知部１４０が検知した姿勢に基づいて行うことが可能である。例えば、撮像部１２０から取り込んだ画像のデータを原画像として、姿勢検知部１４０が検知した携帯電話１００の傾き角に基づいて回転させ、画像表示部１３０と同じ縦横比の画像に切り抜き、画像表示部１３０の大きさに合わせて拡大させた補正画像を生成することが可能である。
【００２９】
報知部１６０は、上記画像補正部１５０により原画像の補正が行われることを所定の態様で報知する。所定の態様は、画像表示部１３０におけるアイコンの表示や、所定の文字の表示とすることができる。また画像表示部１３０を用いた報知以外にも、携帯電話１００に既設されているＬＥＤの発光や、操作部１７０におけるキーパッドの照明の点灯により行うこともできる。なお、報知はいずれか１つの態様で行ってもよいし、複数の態様を組み合わせて行ってもよい。
【００３０】
操作部１７０はキーボード、十字キー、ジョイスティック等の可動スイッチで構成され、利用者の操作入力を受け付けることができる。例えば、利用者は操作部１７０を利用して撮像部１２０による被写体の撮像を行うことが可能となる。
【００３１】
音声入力部１７２はマイク等の音声認識手段で構成され、通話時に入力された利用者の音声を携帯電話１００内で処理可能な電気信号に変換する。
【００３２】
音声出力部１７４はスピーカで構成され、携帯電話１００で受信した通話相手の音声信号を音声に変えて出力する。また、音声出力部１７４は、着信音や、操作部１７０の操作音、アラーム音等も出力できる。
【００３３】
無線通信部１７６は、ＣＤＭＡやＷｉＭＡＸ（Worldwide Interoperability for Microwave Access）等の無線通信方式にて基地局との無線通信を確立し、通信相手との音声通信やＷｅｂサーバとのデータ通信を遂行する。
【００３４】
上記構成の携帯電話１００の動作について説明する。図３は第１実施形態にかかる撮像操作を説明するフローチャート、図４は第１補正モードを説明するための図、図５は第２補正モードを説明するための図である。
【００３５】
まずＳ２００において、制御部１１０は撮像部１２０を作動させる際に水平補正を行うか否かを利用者に問い合わせる。水平補正を行わない場合（Ｓ２００のＮ）は、通常の撮像モードとなり撮像部１２０から取り込んだ原画像をそのまま用いたプレビュー表示が開始される（Ｓ２１０）。そして利用者がシャッターを切ると（Ｓ２２０）、制御部１１０はその瞬間の画像を保存画像としてポストビュー表示し（Ｓ３２０）、保存するか否かを利用者に問い合わせる（Ｓ３３０）。保存することを選択された場合は（Ｓ３３０のＹ）、制御部１１０は端末メモリ１１４に画像を記録する。保存がキャンセルされた場合には（Ｓ３３０のＮ）、Ｓ２００に戻って撮影を継続する。
【００３６】
水平補正を行うことを選択された場合（Ｓ２００のＹ）は、姿勢検知部１４０により、当該携帯電話１００の所定の方向に対する傾き角を検知する（Ｓ２３０）。所定の方向とは例えば水平方向や鉛直方向とすることができ、傾き角は、水平方向に対して携帯電話１００の左右方向が有する傾き角でもよいし、鉛直方向に対して携帯電話１００の上下方向が有する傾き角でもよい。
【００３７】
次に、制御部１１０は傾き角が所定値以上か否か判定する（Ｓ２４０）。なお、所定値とは、例えば携帯電話１００のサイズや画像表示部１３０のサイズ等を考慮して設定した角度、または利用者が任意に設定した角度でもよい。
【００３８】
そして制御部１１０は、傾き角が所定値より大きいと判断した場合は第１補正モードを選択し（Ｓ２４０のＹ）、傾き角が所定値以下であると判断した場合は第２補正モードを選択する（Ｓ２４０のＮ）。
【００３９】
第１補正モードについて図３および図４を参照しながら説明する。なお第１補正モードの説明においては、図４（ａ）に示すように、傾き角Ａ１は水平方向Ｌ１に対して携帯電話１００の左右方向Ｌ２が有する角度として記載する。
【００４０】
携帯電話１００が大きく傾いた状態で撮像を行うと、通常のプレビュー表示で確認した原画像と、水平補正をした補正画像とでは構図が大きく変化してしまう。したがって、実際に水平補正されて取得される画像が、利用者の意図しない構図の画像になってしまうおそれがある。
【００４１】
このため、第１補正モードでは、まず、傾き角Ａ１に基づいて、原画像の水平方向Ｌ１が携帯電話１００の左右方向Ｌ２に一致するように矢印方向に回転させて補正（水平補正）する（Ｓ２５０）（図４（ｂ））。次に、制御部１１０は、補正された補正画像を画像表示部１３０にプレビュー表示する（Ｓ２６０）。
【００４２】
すなわち、図４（ｂ）に示したように、第１補正モードでは制御部１１０は補正後の画像をプレビュー画像として表示する（Ｓ２６０）。これにより利用者は、実際に水平補正して取得される画像をシャッターを切る前の段階で確認することができる。
【００４３】
そして利用者がシャッターを切ることで（Ｓ２７０）、制御部１１０は水平補正された画像を保存画像として取得することができる。
【００４４】
なお画像を回転させると、画像が矩形（長方形）であることから、角部に空白が生じてしまう。そこで、回転させた矩形の範囲が縦横比を維持したままで原画像の範囲内に収まるように切り抜きを行う。すなわち上記の補正とは、回転と切り抜きの２つの処理を含んでいる。画像表示部１３０には切り抜いた画像の全体を全面に表示させるが、切り抜いた画像を原画像と同じサイズ（ピクセル数）に伸張してもよく、または切り抜いた小さなピクセル数のままで表示だけを拡大してもよい。
【００４５】
取得された保存画像は、画像表示部１３０にポストビュー画像として表示される（Ｓ３２０）。ポストビューの表示時（Ｓ３２０）に、制御部１１０は画像を保存するか否かを利用者に問い合わせる（Ｓ３３０）。保存しないと選択された場合（Ｓ３３０のＮ）は、再度Ｓ２００からの撮像操作へ移行し、保存すると選択された場合（Ｓ３３０のＹ）は、制御部１１０は保存画像を端末メモリ１１４に保存し（Ｓ３４０）、撮像操作は終了となる。
【００４６】
このように第１補正モードを利用すれば、取得される補正画像の構図をプレビュー画像として視認しながら撮像操作を行うことができるため、意図する画像か否かをシャッターを切る前に容易に判断することが可能となる。また利用者は、自ら携帯電話１００の角度を調整することなく水平な画像を簡易に取得することが可能となる。
【００４７】
第２補正モードについて図３および図５を参照しながら説明する。図５（ａ）は第２補正モードでのプレビュー表示（Ｓ２９０）を示す図、図５（ｂ）は保存画像を示す図である。また第２補正モードの説明においては、図４（ａ）に示すように、傾き各Ａ２は水平方向Ｌ４に対して携帯電話１００の左右方向Ｌ３がなす角度として記載する。
【００４８】
Ｓ２４０において傾き角Ａ２が所定値より小さい場合（Ｓ２４０のＮ）、すなわち、携帯電話１００をあまり傾けずに構えている場合は、水平補正による画像の構図の変化は小さいものとなる。この場合、制御部１１０は第２補正モードを選択する。
【００４９】
第２補正モードでは、まず報知部１６０は、所定の態様によって補正を行うことを報知する(Ｓ２８０）。そして報知と共に、制御部１１０は撮像部１２０から取り込んだ原画像をそのまま用いたプレビュー表示を開始する（Ｓ２９０）。
【００５０】
所定の態様としては、例えば図５（ａ）に示すように、画像表示部１３０におけるアイコン１８０の表示により行うことができる。また図示は省略するが、プレビュー表示の妨げにならないように、画像表示部１３０の端に所定の文字を表示することで報知を行ってもよい。またさらに画像表示部１３０を用いた態様の報知以外にも、携帯電話１００に既設されているＬＥＤの発光や、操作部１７０におけるキーパッドの照明の点灯により行うこともできる。
【００５１】
なお、報知部１６０による報知はいずれか１つの態様で行ってもよいし、複数の態様を組み合わせて行ってもよい。また報知が不要な場合は、報知を行わない設定にすることも可能である。
【００５２】
第２補正モードでは、プレビュー表示（Ｓ２６０）の後にシャッターが切られる（Ｓ３００）と、画像補正部１５０が原画像に対して実際に補正を行う（Ｓ３１０）。
【００５３】
Ｓ３１０では、画像補正部１５０が傾き角Ａ２に基づいて、原画像の水平方向Ｌ４が携帯電話１００の左右方向Ｌ３に一致するように矢印方向に回転させて水平補正し、保存画像として取得する（図５（ｂ））。
【００５４】
制御部１１０は、取得した保存画像を画像表示部１３０にポストビュー表示する（Ｓ３２０）。そして制御部１１０は上記と同様に保存するか否かを利用者に問い合わせて（Ｓ３３０）、操作に応じて端末メモリ１１４に保存する（Ｓ３４０）。
【００５５】
このように、携帯電話１００の傾きが小さい場合（傾き角Ａ２）は、原画像と補正画像との構図の差異は小さいものとなる。そこで制御部１１０は第２補正モードを選択し、補正した画像を使用しない通常のプレビュー画像を用いることで、第１補正モードよりも簡易な画像処理でプレビュー表示を行うことができる。
【００５６】
またプレビュー表示と共に報知を行うことで、利用者は、原画像に対して水平補正が行われることを念頭に置きながら撮像を行うことが可能となる。
【００５７】
なお、制御部１１０は、いったん第１補正モードまたは第２補正モードを選択した後でも、携帯電話１００の傾き角の変化に応じて第１補正モードまたは第２補正モードへ切り換えることも可能である。
【００５８】
上記説明した如く、本実施形態の構成によれば、撮像した画像を自動的に水平補正することができるだけでなく、状況に応じた補正の動作を自動的に選択して行うことができる。したがって利用者は水平を気にして携帯電話１００を構える必要がなく、かつ撮像される画像の構図を事前に把握しながら撮像操作を行うことができる。これにより利用者は、容易に被写体を適切な角度で撮像することが可能となる。
【００５９】
［第２実施形態］
本発明の第２実施形態について図６および図７を参照しながら説明する。図６は第２実施形態にかかる撮像操作を説明するフローチャート、図７は補正範囲を説明する図である。なお、図６のフローチャートにあっては、上記第１実施形態と説明の重複する部分については同一の符号を付して説明を省略する。
【００６０】
図６のフローチャートに示すように、利用者が水平補正を行うことを選択した場合（Ｓ２００のＹ）は、姿勢検知部１４０により携帯電話１００の傾き角を検知する（Ｓ２３０）。
【００６１】
次に、画像補正部１５０は傾き角に基づいて回転のみによる回転補正範囲１９４ａ、１９４ｂを算出する（Ｓ４００）。この回転補正範囲１９４ａ、１９４ｂは、撮像部１２０から取り込んだ原画像の範囲１９０ａ、１９０ｂを、画像補正部１５０が傾き角に基づいて回転させた範囲である。
【００６２】
ところで図７に示すように、本実施形態において撮像部１２０は、利用者によって指定されたサイズよりも１ランク大きなサイズの画像を取得する。例えばＱＶＧＡ（２４０×３２０）が指定されている場合にはＶＧＡ（６４０×４８０）のサイズで画像を取得し、ＶＧＡが指定されている場合にはＳＶＧＡ（８００×６００）で画像を取得する。もっとも、その撮像素子で取得可能な最大サイズの画像が指定されている場合には、指定されたサイズと同じサイズの画像を取得する。以下において、指定されたサイズよりも大きなサイズの画像を、センサー画像１９２ａ、１９２ｂと称する。
【００６３】
そして制御部１１０は、回転補正範囲１９４ａ、１９４ｂがセンサー画像１９２ａ、１９２ｂの範囲内か否か判定する（Ｓ４１０）。図７（ａ）に示したように、回転補正範囲１９４ａがセンサー画像１９２ａの範囲内である場合は、制御部１１０は第２補正モード（報知を行って補正せずにプレビューする動作）を選択する（Ｓ４１０のＹ）。
【００６４】
ここで、回転補正範囲１９４ａがセンサー画像１９２ａの範囲内ということは、原画像と同じ解像度で補正画像が生成できるということを意味している。つまり、センサー画像１９２に対する、原画像の範囲１９０ａと回転補正範囲１９４ａの面積は同じである。また回転した回転補正範囲１９４ａがセンサー画像１９２ａの範囲内に収まるということは、携帯端末１００の傾き角が小さいということでもある。よって、原画像と補正後の補正画像の構図の差異は少ないものとなる。
【００６５】
このような場合には、制御部１１０は第１実施形態で説明した第２補正モードを選択することで、簡易な画像処理でプレビュー表示を行うことができる。またプレビュー表示と共に報知を行うことで、利用者は、原画像に対して水平補正が行われることを念頭に置きながら撮像を行うことが可能となる（Ｓ２８０〜Ｓ３４０）。
【００６６】
一方、図７（ｂ）に示したように、補正範囲がセンサー画像の範囲内に収まらない場合は、制御部１１０は第１補正モード（補正後の画像でプレビューする動作）を選択する（Ｓ４１０のＮ）。
【００６７】
回転補正範囲１９４ｂがセンサー画像１９２ｂの範囲内に収まらない場合は、その回転補正範囲１９４ｂのまま補正画像を生成すると、補正画像の角部に空白が生じてしまう。そこで、回転補正範囲１９４ｂから、さらにセンサー画像１９２ｂの範囲内に収まるように画像の縦横比を維持したままで取得範囲を縮小して、補正画像（破線枠１０６）を生成する。
【００６８】
このように、回転補正範囲１９４ｂがセンサー画像１９２ｂの範囲内に納まらない場合とは、原画像の範囲１９０ａと回転補正範囲１９４ａの面積に差異が表れ、その結果、原画像と補正画像の解像度に影響が現れる場合である。
【００６９】
このような場合には、制御部１１０は第１実施形態で説明した第１補正モードを選択する。これにより利用者は、補正されて変化した補正画像１９６を、プレビュー表示で確認しながら撮像を行うことが可能となる（Ｓ２５０〜Ｓ３４０）。
【００７０】
なお、制御部１１０は第２実施形態においても、いったん第１補正モードまたは第２補正モードを選択した後でも、携帯電話１００の傾き角の変化に応じて第１補正モードまたは第２補正モードへ切り換えることが可能である。
【００７１】
上記説明した如く、本実施形態の構成によれば、撮像した画像を自動的に水平補正することができるだけでなく、状況に応じた補正の動作を自動的に選択して行うことができる。したがって利用者は水平を気にして携帯電話１００を構える必要がなく、かつ撮像される画像の状態を事前に把握しながら撮像操作を行うことができる。これにより利用者は、容易に被写体を適切な角度で撮像することが可能となる。
【００７２】
なお、上述した第１実施形態および第２実施形態では、携帯電話１００を通話時と同じ縦に構えた状態で例示したが、横に構えた状態でも同様に補正を行うことが可能である。例えば第１補正モードでは、姿勢検知部１４０が携帯電話１００の垂直方向に対する傾き角を検知し、縦長の画像表示部１３０が垂直方向に対して４５°以上傾いて横長状態となったら、プレビュー画像の表示も横長状態に切り替えて水平補正を行うことができる。
【００７３】
また画像補正部１５０は、上記実施形態に記載した水平補正だけでなく、利用者が任意に設定した角度を有する画像に補正することも可能である。したがって利用者は、例えば水平に対して１５°や３０°などの角度を設定し、自分が求める演出を容易にかつ確実に画像に対して行うことができる。またさらに画像補正部１５０は、姿勢検知部１４０の検知した姿勢に基づき画像を遠近補正することもでき、これにより原画像の遠近方向の歪みが補正された補正画像を取得することが可能となる。
【００７４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７５】
本発明は、被写体を撮像する撮像装置および撮像方法として利用することができる。
【符号の説明】
【００７６】
１００…携帯電話
１０２…第１筐体
１０４…第２筐体
１０６…筐体
１１０…制御部
１１４…端末メモリ
１２０…撮像部
１３０…画像表示部
１４０…姿勢検知部
１５０…画像補正部
１６０…報知部
１７０…操作部
１７２…音声入力部
１７４…音声出力部
１７６…無線通信部
１８０…アイコン
１９０ａ、１９０ｂ…原画像の範囲
１９２ａ、１９２ｂ…センサー画像
１９４ａ、１９４ｂ…回転補正範囲
１９６…破線枠（補正画像）
【図１】
2010252240.tif 000003
【図２】
2010252240.tif 000004
【図３】
2010252240.tif 000005
【図４】
2010252240.tif 000006
【図５】
2010252240.tif 000007
【図６】
2010252240.tif 000008
【図７】
2010252240.tif 000009